【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
第１の平板印刷親和性を有する感光性トップ層と、その下にある、前記第１の平板印刷親和性とは反対の第２の平板印刷親和性を有する層とを含んで成る印刷部材であって、前記トップ層が、イメージング流体に曝されると、化学放射線への露出によって架橋性となる材料を含む、印刷部材。
【請求項２】
前記第１の平板印刷親和性が親水性であり、前記第２の平板印刷親和性が親油性である、請求項１に記載の印刷部材。
【請求項３】
前記第１の平板印刷親和性が親油性であり、前記第２の平板印刷親和性が親水性である、請求項１に記載の印刷部材。
【請求項４】
前記トップ層が、少なくとも１つの架橋性成分を含む、請求項１に記載の印刷部材。
【請求項５】
前記架橋性成分が、多官能アクリルモノマー、多官能アクリルオリゴマー、多官能アクリルマクロマー、及びそれらの組み合わせから成る群から選択される、請求項４に記載の印刷部材。
【請求項６】
前記トップ層が、少なくとも１つの光重合性成分と、２成分光重合開始システムの第１成分とを含む、請求項１に記載の印刷部材。
【請求項７】
前記イメージング流体が、２成分光重合開始システムの第２成分を含む、請求項６に記載の印刷部材。
【請求項８】
平板印刷用のシステムであって：
（ａ）第１の平板印刷親和性を有する感光性トップ層と、その下にある、前記第１の平板印刷親和性とは反対の第２の平板印刷親和性を有する層とを含んで成る印刷部材、及び
（ｂ）イメージング流体
を含み；前記トップ層が、前記イメージング流体に曝されると、化学放射線への露出によって架橋性となる、システム。
【請求項９】
前記第１の平板印刷親和性が親水性であり、前記第２の平板印刷親和性が親油性である、請求項８に記載のシステム。
【請求項１０】
前記第１の平板印刷親和性が親油性であり、前記第２の平板印刷親和性が親水性である、請求項８に記載のシステム。
【請求項１１】
前記トップ層が、少なくとも１つの架橋性成分を含む、請求項８に記載のシステム。
【請求項１２】
前記架橋性成分が、多官能アクリルモノマー、多官能アクリルオリゴマー、多官能アクリルマクロマー、及びそれらの組み合わせから成る群から選択される、請求項１１に記載のシステム。
【請求項１３】
前記イメージング流体が、多官能アミンを含む、請求項８に記載のシステム。
【請求項１４】
前記トップ層が、少なくとも１つの光重合性成分と、２成分光重合開始システムの第１成分とを含む、請求項８に記載のシステム。
【請求項１５】
前記イメージング流体が、２成分光重合開始システムの第２成分を含む、請求項１４に記載のシステム。
【請求項１６】
平板印刷部材をイメージングする方法であって：
（ａ）第１の平板印刷親和性を有する感光性トップ層と、その下にある、前記第１の平板印刷親和性とは反対の第２の平板印刷親和性を有する層とを含んで成る印刷部材を設けるステップであって、前記トップ層が、イメージング流体に曝されると、化学放射線への露出によって架橋性となる材料を含む、ステップ；
（ｂ）イメージング流体を画像パターンにて供給するステップ；
（ｃ）前記印刷部材を化学放射線に露出させるステップであって、それによってイメージング流体を受容した前記トップ層の部分が架橋する、ステップ；
（ｄ）前記印刷部材を溶剤に当てるステップであって、前記溶剤が、前記トップ層の未架橋の非画像部分を破壊する、ステップ；及び
（ｅ）前記トップ層の前記非画像部分を除去するステップであって、それによって前記印刷部材上に画像化された平板印刷パターンが生成される、ステップ
を包含する、方法。
【請求項１７】
前記溶剤が、水性流体を含む、請求項１６に記載の方法。
【請求項１８】
前記第１の平板印刷親和性が親水性であり、前記第２の平板印刷親和性が親油性である、請求項１６に記載の方法。
【請求項１９】
前記第１の平板印刷親和性が親油性であり、前記第２の平板印刷親和性が親水性である、請求項１６に記載の方法。
【請求項２０】
前記トップ層が、少なくとも１つの架橋性成分を含む、請求項１６に記載の方法。
【請求項２１】
前記架橋性成分が、多官能アクリルモノマー、多官能アクリルオリゴマー、多官能アクリルマクロマー、及びそれらの組み合わせから成る群から選択される、請求項２０に記載の方法。
【請求項２２】
前記イメージング流体が、多官能アミンを含む、請求項１６に記載の方法。
【請求項２３】
前記トップ層が、少なくとも１つの光重合性成分と、２成分光重合開始システムの第１成分とを含む、請求項１６に記載の方法。
【請求項２４】
前記イメージング流体が、２成分光重合開始システムの第２成分を含む、請求項２３に記載の方法。
【請求項２５】
阻害し得る光反応剤を含む可溶性親水性トップ層と、その下にある親油性層とを含んで成る、平板印刷部材。
【請求項２６】
前記トップ層が、ポリビニルピロリドン、ビニルピロリドンのコポリマー、アクリルアミド−ジアセトンアクリルアミドコポリマー、ポリアクリルアミド、アクリルアミドのコポリマー、ゼラチン、及びそれらの混合物から成る群から選択される水溶性高分子をさらに含む、請求項２５に記載の印刷部材。
【請求項２７】
前記トップ層が、ポリビニルアルコール、カルボキシメチルセルロース、ヒドロキシメチルセルロース、ヒドロキシエチルセルロース、ヒドロプロピルプロピルセルロース、ポリアクリル酸若しくはポリメタクリル酸、ポリビニルピロリドン、ビニルピロリドンのコポリマー、ポリアクリルアミド、ポリアクリルアミドのコポリマー、ゼラチン、及びそれらの混合物から成る群から選択される水溶性高分子をさらに含む、請求項２５に記載のシステム。
【請求項２８】
前記トップ層が、スチルバゾリウム成分を含むポリビニルアルコールを含む、請求項２５に記載の印刷部材。
【請求項２９】
前記トップ層が、水溶性光重合開始剤と、水溶性重合性モノマーとを含む、請求項２５に記載の印刷部材。
【請求項３０】
前記水溶性モノマーが、アクリルアミド、ジアセトンアクリルアミド、N,N'-メチレンビスアクリルアミド、N,N'-エチレンビスアクリルアミド、ジアクリルアミド、オメゴアクリルアミドカプロン酸（omego acrylamidocaproic acid）、ピペラジンジアクリルアミド、アクリリルピロリドン、及びそれらの混合物から成る群から選択される、請求項２９に記載の印刷部材。
【請求項３１】
前記水溶性光重合開始剤が、シュウ酸アンモニウムセリウム及びシュウ酸アンモニウムマンガンから成る群から選択される、請求項２９に記載の印刷部材。
【請求項３２】
前記水溶性光重合開始剤が、第１成分及び第２成分を含む、請求項２９に記載の印刷部材。
【請求項３３】
前記第１成分が、光還元性染料を含む、請求項３２に記載の印刷部材。
【請求項３４】
前記光還元性染料が、メチレンブルー、エオシンイエロー、エリスロシン、及びローズベンガルから成る群から選択される、請求項３３に記載の印刷部材。
【請求項３５】
前記第２成分が、触媒化合物を含む、請求項３２に記載の印刷部材。
【請求項３６】
前記触媒化合物が、第３級アミンを含む、請求項３５に記載の印刷部材。
【請求項３７】
前記第１成分が2-ヒドロキシ-3-（3,4-ジメチル-9-オキソ-9H-チオキサンテン-2-イルオキシ）-N,N,N-トリメチル-1-プロパンアミニウムクロリドであり、前記第２成分がトリエタノールアミンである、請求項３２に記載の印刷部材。
【請求項３８】
前記トップ層と前記下にある層との間に配置された接着層をさらに含む、請求項２５に記載の印刷部材。
【請求項３９】
前記接着層が、ジアゾ樹脂を含む、請求項３８に記載のシステム。
【請求項４０】
平板印刷用のシステムであって：
（ａ）光反応剤を含む可溶性で親水性の第１の層と、その下にある親油性の第２の層とを含んで成る印刷部材、及び
（ｂ）光反応阻害剤を含むイメージング流体
を含む、システム。
【請求項４１】
前記光反応が光架橋を含み、前記光反応剤が光架橋剤を含む、請求項４０に記載のシステム。
【請求項４２】
前記光架橋剤が、4,4'-ジアジドスチルベン-2,2'-二ナトリウムスルホネート、4,4'-ジアジドベンザルアセトン-2,2'-ジスルホネート二ナトリウム塩、1,3-ビス（4'-アジド-2'-スルホベンジリデン）ブタノン二ナトリウム塩、2,6-ビス（4'-アジド-2'-スルホベンジリデン）シクロヘキサノン二ナトリウム塩、2,6-ビス（4'-アジド-2'-スルホベンジリデン）-4-メチルシクロヘキサノン二ナトリウム塩、2,5-ビス（4'-アジド-2'-スルホベンジリデン）シクロペンタノン二ナトリウム塩、4,4'-ジアドシナミリデンアセトン-2,2'-二ナトリウムスルホネート（4,4'-diazidocinnamylideneacetone-2,2'-disodium sulfonate）、2,6-ビス（4'-アジド-2'-スルホシナミリデン）シクロヘキサノン二ナトリウム塩、2,5-ビス（4'-アジド-2'-スルホシナミリデン）シクロペンタノン二ナトリウム塩から成る群から選択される水溶性ビスアジドを含む、請求項４１に記載のシステム。
【請求項４３】
前記第１の層が、ポリビニルピロリドン、ビニルピロリドンのコポリマー、アクリルアミド−ジアセトンアクリルアミドコポリマー、ポリアクリルアミド、アクリルアミドのコポリマー、ゼラチン、及びそれらの混合物から成る群から選択される水溶性高分子をさらに含む、請求項４０に記載のシステム。
【請求項４４】
前記光架橋剤が、芳香族ジアゾニウム塩と縮合剤との縮合生成物を含む、請求項４１に記載のシステム。
【請求項４５】
前記芳香族ジアゾニウム塩が、4-ジアゾジフェニルアミンサルフェート、3-メトキシ-4-ジアゾジフェニルアミンサルフェート、4-フェノキシジアゾベンゼン亜鉛クロリド複塩、及び2,5-ジメトキシ-4-トルイルメルカプトジアゾベンゼン亜鉛クロリド複塩から成る群から選択される、請求項４４に記載のシステム。
【請求項４６】
前記縮合剤が、ホルムアルデヒドを含む、請求項４４に記載のシステム。
【請求項４７】
前記縮合剤が、ビス（アルコキシメチル）ジフェニルエーテルを含む、請求項４４に記載のシステム。
【請求項４８】
前記第１の層が、ポリビニルアルコール、カルボキシメチルセルロース、ヒドロキシメチルセルロース、ヒドロキシエチルセルロース、ヒドロプロピルプロピルセルロース、ポリアクリル酸若しくはポリメタクリル酸、ポリビニルピロリドン、ビニルピロリドンのコポリマー、ポリアクリルアミド、ポリアクリルアミドのコポリマー、ゼラチン、及びそれらの混合物から成る群から選択される水溶性高分子をさらに含む、請求項４４に記載のシステム。
【請求項４９】
前記第１の層が、スチルバゾリウム成分を含むポリビニルアルコールを含む、請求項４０に記載のシステム。
【請求項５０】
光反応が光重合を含み、前記トップ層が、水溶性光重合開始剤と水溶性重合性モノマーとを含む、請求項４０に記載のシステム。
【請求項５１】
前記水溶性モノマーが、アクリルアミド、ジアセトンアクリルアミド、N,N'-メチレンビスアクリルアミド、N,N'-エチレンビスアクリルアミド、ジアクリルアミド、オメゴアクリルアミドカプロン酸（omego acrylamidocaproic acid）、ピペラジンジアクリルアミド、アクリリルピロリドン、及びそれらの混合物から成る群から選択される、請求項５０に記載のシステム。
【請求項５２】
前記水溶性光重合開始剤が、シュウ酸アンモニウムセリウム及びシュウ酸アンモニウムマンガンから成る群から選択される、請求項５０に記載のシステム。
【請求項５３】
前記水溶性光重合開始剤が、第１成分及び第２成分を含む、請求項５０に記載のシステム。
【請求項５４】
前記第１成分が、光還元性染料を含む、請求項５３に記載のシステム。
【請求項５５】
前記光還元性染料が、メチレンブルー、エオシンイエロー、エリスロシン、及びローズベンガルから成る群から選択される、請求項５４に記載のシステム。
【請求項５６】
前記第２成分が、触媒化合物を含む、請求項５３に記載のシステム。
【請求項５７】
前記触媒化合物が、第３級アミンを含む、請求項５６に記載のシステム。
【請求項５８】
前記第１成分が2-ヒドロキシ-3-（3,4-ジメチル-9-オキソ-9H-チオキサンテン-2-イルオキシ）-N,N,N-トリメチル-1-プロパンアミニウムクロリドであり、前記第２成分がトリエタノールアミンである、請求項５４に記載のシステム。
【請求項５９】
前記印刷部材が、前記第１及び第２の層の間に配置された接着層をさらに含む、請求項４０に記載のシステム。
【請求項６０】
前記接着層が、ジアゾ樹脂を含む、請求項５９に記載のシステム。
【請求項６１】
前記光反応阻害剤が、抗酸化剤を含む、請求項４０に記載のシステム。
【請求項６２】
前記抗酸化剤が、ヒドロキノン、4-メトキシフェノール、2,6-ジ-（t-ブチル）-4-メチルフェノール、2,2'-メチレンビス-（4-メチル-6-t-ブチルフェノール）、チオジプロピオン酸のジエステル、及びトリアリールホスファイトから成る群から選択される、請求項６１に記載のシステム。
【請求項６３】
前記光反応阻害剤が、ニトロソダイマー阻害システムを含む、請求項４０に記載のシステム。
【請求項６４】
前記光反応阻害剤が、遮蔽剤を含む、請求項４０に記載のシステム。
【請求項６５】
前記遮蔽剤が、Acid Yellow 25、Acid Yellow 29、Acridine Yellow G、Basic Yellow 2、及びAcid Black 2から成る群から選択される、請求項６４に記載のシステム。
【請求項６６】
前記遮蔽剤が、カーボンブラック及びイエロー顔料の水性分散物を含む、請求項６４に記載のシステム。
【請求項６７】
平板印刷部材をイメージングする方法であって：
（ａ）第１の平板印刷親和性を有し且つ光反応剤を含む可溶性トップ層と、その下にある、前記第１の平板印刷親和性とは反対の第２の平板印刷親和性を有する層とを含んで成る印刷部材を設けるステップであって、前記光反応剤の反応性が、イメージング流体に応答して低下する、ステップ；
（ｂ）イメージング流体を画像パターンにて供給するステップであって、前記イメージング流体が、前記トップ層と化学反応して、その中の前記光反応剤の反応性を阻害する、ステップ；
（ｃ）前記印刷部材をエネルギー源に露出して、前記イメージング流体が供給されなかった領域において光反応を開始させるステップであって、前記光反応によって、前記領域が水溶性状態から水不溶性状態へと変化する、ステップ；
（ｄ）前記水溶性トップ層の画像化部分を溶解させるステップ；及び
（ｅ）前記トップ層の前記画像部分を除去するステップであって、それによって前記印刷部材上に画像化された平板印刷パターンが生成される、ステップ、
を包含する、方法。
【請求項６８】
前記第１の平板印刷親和性が親水性であり、前記第２の平板印刷親和性が親油性である、請求項６７に記載の方法。
【請求項６９】
前記第１の平板印刷親和性が親油性であり、前記第２の平板印刷親和性が親水性である、請求項６７に記載の方法。
【請求項７０】
前記光反応が光架橋を含み、前記光反応剤が光架橋剤を含む、請求項６７に記載の方法。
【請求項７１】
前記光架橋剤が、4,4'-ジアジドスチルベン-2,2'-二ナトリウムスルホネート、4,4'-ジアジドベンザルアセトン-2,2'-ジスルホネート二ナトリウム塩、1,3-ビス（4'-アジド-2'-スルホベンジリデン）ブタノン二ナトリウム塩、2,6-ビス（4'-アジド-2'-スルホベンジリデン）シクロヘキサノン二ナトリウム塩、2,6-ビス（4'-アジド-2'-スルホベンジリデン）-4-メチルシクロヘキサノン二ナトリウム塩、2,5-ビス（4'-アジド-2'-スルホベンジリデン）シクロペンタノン二ナトリウム塩、4,4'-ジアドシナミリデンアセトン-2,2'-二ナトリウムスルホネート（4,4'-diazidocinnamylideneacetone-2,2'-disodium sulfonate）、2,6-ビス（4'-アジド-2'-スルホシナミリデン）シクロヘキサノン二ナトリウム塩、2,5-ビス（4'-アジド-2'-スルホシナミリデン）シクロペンタノン二ナトリウム塩から成る群から選択される水溶性ビスアジドを含む、請求項７０に記載の方法。
【請求項７２】
前記トップ層が、ポリビニルピロリドン、ビニルピロリドンのコポリマー、アクリルアミド−ジアセトンアクリルアミドコポリマー、ポリアクリルアミド、アクリルアミドのコポリマー、ゼラチン、及びそれらの混合物から成る群から選択される水溶性高分子をさらに含む、請求項７１に記載の方法。
【請求項７３】
前記光架橋剤が、芳香族ジアゾニウム塩と縮合剤との縮合生成物を含む、請求項７０に記載の方法。
【請求項７４】
前記芳香族ジアゾニウム塩が、4-ジアゾジフェニルアミンサルフェート、3-メトキシ-4-ジアゾジフェニルアミンサルフェート、4-フェノキシジアゾベンゼン亜鉛クロリド複塩、及び2,5-ジメトキシ-4-トルイルメルカプトジアゾベンゼン亜鉛クロリド複塩から成る群から選択される、請求項７３に記載の方法。
【請求項７５】
前記縮合剤が、ホルムアルデヒドを含む、請求項７３に記載の方法。
【請求項７６】
前記縮合剤が、ビス（アルコキシメチル）ジフェニルエーテルを含む、請求項７３に記載の方法。
【請求項７７】
前記トップ層が、ポリビニルアルコール、カルボキシメチルセルロース、ヒドロキシメチルセルロース、ヒドロキシエチルセルロース、ヒドロプロピルプロピルセルロース、ポリアクリル酸若しくはポリメタクリル酸、ポリビニルピロリドン、ビニルピロリドンのコポリマー、ポリアクリルアミド、ポリアクリルアミドのコポリマー、ゼラチン、及びそれらの混合物から成る群から選択される水溶性高分子をさらに含む、請求項６７に記載の方法。
【請求項７８】
前記トップ層が、スチルバゾリウム成分を含むポリビニルアルコールを含む、請求項６７に記載の方法。
【請求項７９】
光反応が光重合を含み、前記トップ層が、水溶性光重合開始剤と水溶性重合性モノマーとを含む、請求項６７に記載の方法。
【請求項８０】
前記水溶性モノマーが、アクリルアミド、ジアセトンアクリルアミド、N,N'-メチレンビスアクリルアミド、N,N'-エチレンビスアクリルアミド、ジアクリルアミド、オメゴアクリルアミドカプロン酸（omego acrylamidocaproic acid）、ピペラジンジアクリルアミド、アクリリルピロリドン、及びそれらの混合物から成る群から選択される、請求項７９に記載の方法。
【請求項８１】
前記水溶性光重合開始剤が、シュウ酸アンモニウムセリウム及びシュウ酸アンモニウムマンガンから成る群から選択される、請求項７９に記載の方法。
【請求項８２】
前記水溶性光重合開始剤が、第１成分及び第２成分を含む、請求項７９に記載の方法。
【請求項８３】
前記第１成分が、光還元性染料を含む、請求項８２に記載の方法。
【請求項８４】
前記光還元性染料が、メチレンブルー、エオシンイエロー、エリスロシン、及びローズベンガルから成る群から選択される、請求項８２に記載の方法。
【請求項８５】
前記第２成分が、触媒化合物を含む、請求項８２に記載の方法。
【請求項８６】
前記触媒化合物が、第３級アミンを含む、請求項８５に記載の方法。
【請求項８７】
前記第１成分が2-ヒドロキシ-3-（3,4-ジメチル-9-オキソ-9H-チオキサンテン-2-イルオキシ）-N,N,N-トリメチル-1-プロパンアミニウムクロリドであり、前記第２成分がトリエタノールアミンである、請求項８２に記載の方法。
【請求項８８】
前記印刷部材が、前記トップ層と前記下にある層との間に配置された接着層をさらに含む、請求項８３に記載の方法。
【請求項８９】
前記接着層が、ジアゾ樹脂を含む、請求項８８に記載の方法。
【請求項９０】
前記イメージング流体が、抗酸化剤を含む、請求項６７に記載の方法。
【請求項９１】
前記抗酸化剤が、ヒドロキノン、4-メトキシフェノール、2,6-ジ-（t-ブチル）-4-メチルフェノール、2,2'-メチレンビス-（4-メチル-6-t-ブチルフェノール）、チオジプロピオン酸のジエステル、及びトリアリールホスファイトから成る群から選択される、請求項９０に記載の方法。
【請求項９２】
前記イメージング流体が、ニトロソダイマー阻害システムを含む、請求項６７に記載の方法。
【請求項９３】
前記イメージング流体が、遮蔽剤を含む、請求項６７に記載の方法。
【請求項９４】
前記遮蔽剤が、Acid Yellow 25、Acid Yellow 29、Acridine Yellow G、Basic Yellow 2、及びAcid Black 2から成る群から選択される、請求項９３に記載の方法。
【請求項９５】
前記遮蔽剤が、カーボンブラック及びイエロー顔料の水性分散物を含む、請求項９３に記載の方法。
【請求項９６】
露出した表面を有する親水性層を含んで成る平板印刷部材であって、前記層の少なくとも前記表面が、イメージング流体に応答して親水性状態から親油性状態へと相変化する材料を含む、印刷部材。
【請求項９７】
前記トップ層が、架橋された親水性高分子を含む、請求項９６に記載の印刷部材。
【請求項９８】
前記親水性高分子が、ポリビニルホスホン酸、アミン成分を含むポリビニルアルコール、並びにカルボン酸成分、スルホン酸成分及びホスホン酸成分のうち少なくとも１つを含む高分子から成る群から選択される、請求項９７に記載の印刷部材。
【請求項９９】
前記イメージング流体が、エステル化剤を含む、請求項９６に記載の印刷部材。
【請求項１００】
前記エステル化剤が、テトラメチルアンモニウムヒドロキシド、フェニルトリメチルアンモニウムヒドロキシド、トリメチルスルホニウムヒドロキシド、トリメチルスルホキソニウムヒドロキシド、及び1,3-（ビストリプロピルアンモニウム）キシレンヒドロキシドから成る群から選択される化合物を含む、請求項９９に記載の印刷部材。
【請求項１０１】
前記イメージング流体が、アルキル化剤を含む、請求項９６に記載の印刷部材。
【請求項１０２】
前記イメージング流体が、第４級アンモニウム塩を含む高分子を含む、請求項９６に記載の印刷部材。
【請求項１０３】
前記親水性層の下に親水性基材をさらに含む、請求項９６に記載の印刷部材。
【請求項１０４】
平板印刷用のシステムであって：
（ｃ）露出した表面を有する親水性層を含んで成る印刷部材、及び
（ｄ）イメージング流体
を含み；前記層の少なくとも前記表面が、イメージング流体に応答して親水性状態から親油性状態へと相変化する、システム。
【請求項１０５】
前記トップ層が、架橋された親水性高分子を含む、請求項１０４に記載のシステム。
【請求項１０６】
前記親水性高分子が、ポリビニルホスホン酸、アミン成分を含むポリビニルアルコール、並びにカルボン酸成分、スルホン酸成分及びホスホン酸成分のうち少なくとも１つを含む高分子から成る群から選択される、請求項１０５に記載のシステム。
【請求項１０７】
前記イメージング流体が、エステル化剤を含む、請求項１０４に記載のシステム。
【請求項１０８】
前記エステル化剤が、テトラメチルアンモニウムヒドロキシド、フェニルトリメチルアンモニウムヒドロキシド、トリメチルスルホニウムヒドロキシド、トリメチルスルホキソニウムヒドロキシド、及び1,3-（ビストリプロピルアンモニウム）キシレンヒドロキシドから成る群から選択される化合物を含む、請求項１０７に記載のシステム。
【請求項１０９】
前記イメージング流体が、アルキル化剤を含む、請求項１０４に記載のシステム。
【請求項１１０】
前記イメージング流体が、第４級アンモニウム塩を含む高分子を含む、請求項１０４に記載のシステム。
【請求項１１１】
前記印刷部材が、前記親水性層の下に親水性基材をさらに含む、請求項１０４に記載のシステム。
【請求項１１２】
平板印刷部材をイメージングする方法であって：
（ａ）露出した表面を有する親水性層を含んで成る印刷部材を設けるステップであって、前記層の少なくとも前記表面が、イメージング流体に応答して親水性状態から親油性状態へと相変化する、ステップ；及び
（ｂ）イメージング流体を画像パターンにて供給するステップであって、前記イメージング流体が、前記層の少なくとも前記表面と化学反応して前記相変化を引き起こし、それによって前記印刷部材上に画像化された平板印刷パターンが生成される、ステップ
を包含する、方法。
【請求項１１３】
前記トップ層が、架橋された親水性高分子を含む、請求項１１２に記載の方法。
【請求項１１４】
前記親水性高分子が、ポリビニルホスホン酸、アミン成分を含むポリビニルアルコール、並びにカルボン酸成分、スルホン酸成分及びホスホン酸成分のうち少なくとも１つを含む高分子から成る群から選択される、請求項１１３に記載の方法。
【請求項１１５】
前記イメージング流体が、エステル化剤を含む、請求項１１２に記載の方法。
【請求項１１６】
前記エステル化剤が、テトラメチルアンモニウムヒドロキシド、フェニルトリメチルアンモニウムヒドロキシド、トリメチルスルホニウムヒドロキシド、トリメチルスルホキソニウムヒドロキシド、及び1,3-（ビストリプロピルアンモニウム）キシレンヒドロキシドから成る群から選択される化合物を含む、請求項１１５に記載の方法。
【請求項１１７】
前記イメージング流体が、アルキル化剤を含む、請求項１１２に記載の方法。
【請求項１１８】
前記イメージング流体が、第４級アンモニウム塩を含む高分子を含む、請求項１１２に記載の方法。
【請求項１１９】
前記印刷部材が、前記親水性層の下に親水性基材をさらに含む、請求項１１２に記載の方法。